(57)【要約】      （修正有）【課題】多機能携帯端末の起動、ネットワークへの接続等が、簡単な動作で利用可能で、応答スピードが速く、かつ製品故障が少ない起動操作具を提供する。【解決手段】起動操作具１００は、多機能携帯端末ＳＰ用の操作具１００であって、アプリケーションの起動、ネットワークへの接続等の動作を予め記録したＩＣチップを内蔵した、非接触型近距離無線通信体であるＩＣタグＴＡと、該ＩＣタグＴＡを被包する柔軟性素材Ｆからなる操作具本体とから構成されている。【選択図】図２
2015103239.tif 000002
【特許請求の範囲】
【請求項１】
ＩＣチップ内蔵の多機能携帯端末用の起動操作具であって、
アプリケーションの起動、ネットワークへの接続等の動作を予め記録したＩＣチップを内蔵した、非接触型近距離無線通信体と、
前記非接触型近距離無線通信体を被包する柔軟性素材からなる前記起動操作具本体と、
からなる多機能携帯端末用の起動操作具。
【請求項２】
前記非接触型近距離無線通信体を被包する柔軟性素材が、繊維生地、軟質合成樹脂材、ゴム材、皮革、合成皮革、紙材及び木質材である、
ことを特徴とする請求項１又は請求項２の何れかに記載の多機能携帯端末用の起動操作具。
【請求項３】
前記非接触型近距離無線通信体は、防水性を有すると共に、
前記非接触型近距離無線通信体におけるアンテナは、金属探査装置による試験を非感知となるように構成されると共に、
前記非接触型近距離無線通信体の全体は、前記起動操作具本体内にほぼ縦状に被包され、前記アンテナは、前記多機能携帯端末と電波の送受信可能に装着されている、
ことを特徴とする請求項１に記載の多機能携帯端末用の起動操作具。
【請求項４】
前記起動操作具本体が、前記非接触型近距離無線通信体を被包可能な大きさと形状である、ぬいぐるみ、アニメキャラクター、洗濯表示ラベル、ワッペン又は織ネームである、
ことを特徴とする請求項１〜請求項３の何れかに記載の多機能携帯端末用の起動操作具。
【請求項５】
前記起動操作具本体の外周部には、伸縮性又は／及び非伸縮性素材からなる着脱自在の係止具が取り付けられている、
ことを特徴とする請求項１、請求項２又は請求項４の何れかに記載の多機能携帯端末用の起動操作具。
【発明の詳細な説明】
【技術分野】
【０００１】本発明は、多機能携帯端末用の起動操作具に係り、より詳しくは、多機能携帯端末の起動ボタンやホームボタンを押すことなく、起動操作具を多機能携帯端末の背面部等に起動操作具を所定距離近接させるだけで多機能携帯端末の起動やネットワークへの接続、情報取得等が直ちに行うことが可能な多機能携帯端末用の起動操作具に関する。
【背景技術】
【０００２】近年のスマートフォン（多機能携帯端末）の普及には目を見張るものがあり、今後ますますその利用者の増加と共に、それに伴う快適な操作に対する欲求が高まっている。例えば、多機能携帯端末を起動させた後、所望の情報を取得するためには、ディスプレイ面に映し出されているアプリ等を指先で何度もスライドさせる必要がある。【０００３】また、ＲＦＩＤ（Ｒａｄｉｏ  Ｆｒｅｑｕｅｎｃｙ  Ｉｄｅｎｔｉｆｉｃａｔｉｏｎ）と称される、電磁波（電波）を利用して人や物を認識する非接触型の自動認識技術の進展は日進月歩の感がある。またこのＲＦＩＤ技術においては、タグやラベルという形に加工されたアンテナ付きのＩＣチップを、物や人に付与して、そのＩＣチップに対して情報の読み取りや書き込みを、リーダ／ライタ、例えば、スマートフォン（多機能携帯端末）やタブレット等によって行うことで、個別情報等のやり取りを行うことで、自動認識を行っている。【０００４】例えば、特許文献１には、図５に示すように書籍等の表紙カバー等にＩＣタグを貼着して書籍等を管理する「ＩＣタグ」が開示されている。また特許文献２には、図６に示すように、物品収納家具における物品箱にＲＦ−ＩＤタグを貼着し、多機能無線携帯端末で物品等の格納場所等を管理する「物品管理補助装置」が開示されている。さらに図７に示すように、机上のスタンドに貼着されたＩＣタグに多機能無線携帯端末をかざす（近接）だけで、多機能無線携帯端末を起動したり、ＩＣチップに記録された情報を迅速に取得することができるようになっている。【０００５】  また、非接触型の自動認識技術として、バーコードや、ＱＲコード（登録商標：（株）デンソー）がある。ＱＲコードは、データの高速読み取りを重視したものであるが、スマートフォン（多機能携帯端末）や、携帯電話を用いてＱＲコードからデータを取得するには、メニューの設定から情報取得までに複数回のクリック操作が必要であり、かつ焦点距離を合わせることが煩わしいという不具合があり、また、ＱＲコードの印刷面は、汚れたり、破損等で読み取りエラーが生じるという欠点がある。
【先行技術文献】
【特許文献】
【０００６】
【特許文献１】実用新案登録第３１６１６７３号公報
【特許文献２】特開２００６−２２８１７８号公報
【特許の概要】
【特許が解決しようとする課題】
【０００７】ところで、ＲＦＩＤや、ＮＦＣ（Ｎｅａｒ  Ｆｉｅｌｄ  Ｃｏｍｍｕｎｉｃａｔｉｏｎ：近距離無線通信）に使用される、ＩＣタグ（ＲＦ−ＩＤタグ、無線タグ、ＲＦタグ等各種の呼称あり）いわゆる、非接触型近距離無線通信体は、貼着する対象物により、読み取り性能が変わる性質があり、また商品等への貼着には適しているが、水や金属の影響を受けやすいという弱点がある。
【０００８】また、ＩＣチップとＩＣタグを構成するアンテナは、アルミ材からなるので、従来より、繊維製品にＩＣタグを取り付けることに関し、繊維取引業界においては、検針器等の金属探査装置による試験をパスできないという考えが常識となっていた。したがって、現状のＩＣタグは、上述の特許文献１及び２、さらに従来の使用態様（図７参照）のように、主として屋内における硬質で平滑面の器物に接着剤等を介して貼着されて使用されていた。しかし、本願発明者の一瞬のひらめきと研究により、アンテナを構成するアルミ材の使用量を極少量とし、繊維生地でＩＣタグ全体を被包して検針器でテストしたところ、全く無反応になることを知見し、本願発明を完成させたものである。
【０００９】そこで、本願発明が解決しようとする、
第１の課題は、多機能携帯端末（以下、端末という）の起動、ネットワークへの接続等が、簡単な動作で利用可能で、応答スピードが速く、かつ製品故障が少ない起動操作具を提供することにある。
第２の課題は、端末のユーザは、好みのデザインや素材等で製作されたや形状の起動操作具を選定して屋外に携行し、何時でも、どこででも、起動操作具によって必要な情報が取得できる、起動操作具を提供することにある。
第３の課題は、高齢者、視覚障害者や聴覚障害者等の社会的弱者に優しい、社会貢献性大なる、端末用の起動操作具を提供することである。
第４の課題は、クリーニング業者と顧客間における衣料品等のクリーニング仕上がり等に関するトラブルを、未然に防止可能な端末用の起動操作具を提供することである。
第５の課題は、端末のユーザは、外出時に際しては、端末と共に起動操作具を携行し、好みのバッグ類や着衣等に起動操作具の係止具を介して装着し、何時でも、どこででも、起動操作具によって端末を起動し、必要な情報が取得できる、起動操作具を提供することにある。
【課題を解決するための手段】
【００１０】課題を解決するための手段は、本願特許請求の範囲の各請求項に記載の発明であり、その具体的な解決手段は、以下の通りである。
第１の発明は、請求項１に記載の発明であり、
ＩＣチップ内蔵の多機能携帯端末用の起動操作具であって、アプリケーションの起動、ネットワークへの接続等の動作を予め記録したＩＣチップを内蔵した、非接触型近距離無線通信体と、前記非接触型近距離無線通信体を被包する柔軟性素材からなる前記起動操作具本体と、からなる多機能携帯端末用の起動操作具である。
【００１１】第２の発明は、請求項２に記載の発明であり、
前記非接触型近距離無線通信体を被包する柔軟性素材が、繊維生地、軟質合成樹脂材、ゴム材、皮革、合成皮革、紙材及び木質材である、ことを特徴とする請求項１又は請求項２の何れかに記載の多機能携帯端末用の起動操作具である。
【００１２】第３の発明は、請求項３に記載の発明であり、
前記非接触型近距離無線通信体は、防水性を有すると共に、前記非接触型近距離無線通信体におけるアンテナは、金属探査装置による試験を非感知となるように構成されると共に、前記非接触型近距離無線通信体の全体は、前記起動操作具本体内にほぼ縦状に被包され、前記アンテナは、前記多機能携帯端末と電波の送受信可能に装着されている、ことを特徴とする請求項１に記載の多機能携帯端末用の起動操作具である。
【００１３】第４の発明は、請求項４に記載の発明であり、
前記起動操作具本体が、前記非接触型近距離無線通信体を被包可能な大きさと形状である、ぬいぐるみ、アニメキャラクター、洗濯表示ラベル、ワッペン又は織ネームである、ことを特徴とする請求項１〜請求項３の何れかに記載の多機能携帯端末用の起動操作具である。
【００１４】第５の発明は、請求項５に記載の発明であり、
前記起動操作具本体の外周部には、伸縮性又は／及び非伸縮性素材からなる着脱自在の係止具が取り付けられている、ことを特徴とする請求項１、請求項２又は請求項４の何れかに記載の多機能携帯端末用の起動操作具。
【発明の効果】
【００１５】請求項１の発明によれば、ＩＣチップ内蔵の多機能携帯端末用の起動操作具であって、アプリケーションの起動、ネットワークへの接続等の動作を予め記録したＩＣチップを内蔵した、非接触型近距離無線通信体と、前記非接触型近距離無線通信体を被包する柔軟性素材からなる前記起動操作具本体と、からなる多機能携帯端末用の起動操作具である、という特徴的構成要件により、端末の起動、ネットワークへの接続等が、簡単な動作で利用可能で、応答スピードが速く、かつ製品故障が少ない起動操作具の提供という、第１の課題を解決することができた。
【００１６】請求項２の発明によれば、前記非接触型近距離無線通信体を被包する柔軟性素材が、繊維生地、軟質合成樹脂材、ゴム材、皮革、合成皮革、紙材及び木質材である、という特徴的構成要件により、端末のユーザは、好みのデザインや素材等で製作された形状の起動操作具を選定して屋外に携行し、何時でも、どこででも、起動操作具によって必要な情報が取得できる、起動操作具の提供という、第２の課題を解決することができた。
【００１７】請求項３の発明によれば、前記非接触型近距離無線通信体は、防水性を有すると共に、前記非接触型近距離無線通信体におけるアンテナは、金属探査装置による試験を非感知となるように構成されると共に、前記非接触型近距離無線通信体の全体は、前記起動操作具本体内にほぼ縦状に被包され、前記アンテナは、前記多機能携帯端末と電波の送受信可能に装着されている、という特徴的構成要件により、高齢者、視覚障害者や聴覚障害者等の社会的弱者に優しい、社会貢献性大なる、端末用の起動操作具の提供という、第３の課題を解決することができた。
【００１８】請求項４の発明によれば、前記起動操作具本体が、前記非接触型近距離無線通信体を被包可能な大きさと形状である、ぬいぐるみ、アニメキャラクター、洗濯表示ラベル、ワッペン又は織ネームである、という特徴的構成要件により、クリーニング業者と顧客間における衣料品等のクリーニング仕上がり等に関するトラブルを、未然に防止可能な端末用の起動操作具の提供という、第４の課題を解決することができた。
【００１９】請求項５の発明によれば、前記起動操作具本体の外周部には、伸縮性又は／及び非伸縮性素材からなる着脱自在の係止具が取り付けられている、という特徴的構成要件により、端末のユーザは、外出時に際しては、端末と共に起動操作具を携行し、好みのバッグ類や着衣等に起動操作具の係止具を介して装着し、何時でも、どこででも、起動操作具によって端末を起動し、必要な情報が取得できる、起動操作具の提供という、第５の課題を解決することができた。
【図面の簡単な説明】
【００２０】
【図１】（イ）は、本発明における多機能携帯端末用の起動操作具である、ぬいぐるみの正面図、（ロ）は、一部切欠側面図である。
【図２】は、起動操作具の使用状態を示す斜視図である。
【図３】は、円形型の非接触型近距離無線通信体を示し、（イ）は表面図、（ロ）は裏面図、（ハ）は同図（イ）におけるハ−ハ線拡大断面図である。
【図４】は、起動操作具の他の使用状態を示す斜視図である。
【図５】は、特許文献１に記載の斜視図である。
【図６】は、特許文献２に記載の正面図である。
【図７】は、非接触型近距離無線通信体が机上等のスタンドに貼着された斜視図である。
【発明を実施するための形態】
【００２１】本発明における多機能携帯端末ＳＰ用の起動操作具（以下、操作具１００という）は、図１（イ）及び（ロ）に示すように、ぬいぐるみＮとして好適に製作することができる。ぬいぐるみＮは、柔軟性素材Ｆである繊維生地体Ｆ１と詰め物、例えばアクリル樹脂Ｆ２等からなり、ＩＣチップを内蔵した非接触型近距離無線通信体（以下、ＩＣタグＴＡという）は、繊維生地体Ｆ１とアクリル樹脂Ｆ２によって被包されている。操作具１００の保有者が、ＩＣタグＴＡ又は、多機能携帯端末（以下、端末ＳＰという）同志を約３ｃｍ〜１０ｃｍ内に近接すれば、端末ＳＰ（図２、参照）は直ちに起動したり、ＩＣチップに記録されたデータ情報等を、文字情報又は音声情報として取得できるようになっている。ＩＣタグＴＡのアンテナＡＮにおける電波→（図１、（ロ）参照）は、ぬいぐるみＮの表面及び裏面に送受信される。Ｆ３は、操作具本体１０の外周部に取り付けられた、伸縮性又は非伸縮性素材からなる着脱自在の係止具で、例えば、ストラップやボールチェーン等とすることができる。なお、柔軟性素材Ｆとしては、繊維生地Ｆ１の他、軟質合成樹脂材、ゴム材、皮革、合成皮革、紙材及び木質材（薄厚扁平状に加工）等を適宜選択して製作することができる。
【００２２】図２は、操作具１００の使用状態を示すもので、Ｂは外出用のバッグで、ぬいぐるみＮの操作具１００を、係止具Ｆ３を介して、バッグＢの提げ手Ｂ１に取り付けて携行することができ、必要に応じて操作具１００を端末ＳＰにかざせば、直ちにＩＣチップに記録されたデータ情報を取得することができる。
【００２３】図３は、ＩＣタグＴＡを示している。ＩＣタグＴＡの裏面にはＩＣチップとアンテナＡＮが設けられている。図３（ハ）に示すように、ＩＣタグＴＡは、三層構造となっており、第１層は、ポリプロピレンフィルムＯＰＰで、第２層は、アルミ材を極少量かつ薄膜状としたアンテナＡＮで、第３層は、ポリエチレンフィルムＰＥＴとなっている。ＩＣチップは、アンテナＡＮ上に取り付けられている。第１層のポリプロピレンフィルムＯＰＰ、第３層のポリエチレンフィルムＰＥＴにより、ＩＣタグＴＡは防水性を有すると共に、柔軟性があり、外圧が加わっても破損することがなく、また復元性も併せ持っている。さらにアンテナＡＮを構成するアルミ膜は、上述のように極少量であるために、検針器等の金属探査装置等によるテストにも合格するので各種の物品に幅広く使用することができる。
【００２４】図４は、繊維製品であるベストＢＳを裏返した状態を示し、ベストＢＳの下方脇部には、洗濯表示ラベルＷＬが縫着され、該洗濯表示ラベルＷＬ内には円形のＩＣタグＴＡが被包されている。また織ネームＳＮ内には角型のＩＣタグＴＡが被包されている。洗濯表示ラベルＷＬの絵マークＰａや文字Ｐｂ等は、小さく、かつ、表示スペースは狭小であるから、ベストＢＳに関する洗濯情報は少量しか表示することができない。しかし、洗濯表示ラベルＷＬ内に被包されたＩＣタグＴＡのＩＣチップには、多量の洗濯情報（アイロン情報も含む）が記録されており、端末ＳＰ（図示しない）のディスプレイに表示される絵マークＰａや文字Ｐｂ等は、拡大表示が可能であり、かつ音声による情報を取得できるので、高齢者、視覚障害者や聴覚障害者等による衣類等の洗濯に際しては、ＩＣチップ内のクリーニング情報、アイロン情報等に基づいて、ベストＢＳの保有者は、満足するクリーニングを行うことができる。これにより、高齢者等の社会的弱者に優しい、社会貢献性大なる、端末ＳＰ用の操作具１００の提供という課題を解決することができた。
【００２５】近年、クリーニング業者とユーザ間に洗濯物に関するトラブルが起きている。例えば、あるユーザが品質高級な衣料品である毛皮コート等のクリーニングを依頼したところ、クリーニング業者は洗濯表示ラベルＷＬの情報不足で、毛皮コート等の品質が損なわれ、毛皮コート等のユーザから多額の賠償を請求されたケース等である。クリーニング業者は、洗濯表示ラベルＷＬ内に被包されたＩＣタグＴＡのＩＣチップ内に記録された詳細情報を操作具１０を使って、端末ＳＰでこれを取得して作業を進めることができ、ユーザが満足するクリーニングを行って納品するので、上述のようなクリーニング業者とユーザ間のトラブルは、未然に防止することができた。
【産業上の利用可能性】
【００２６】本発明に係る操作具１００は、上述したぬいぐるみＮ、洗濯表示ラベルＷＬ、又は織ネームＳＮの他、図示しないが、柔軟性素材Ｆを使った操作具本体１０で、各種情報を記録したＩＣチップを内蔵したＩＣタグＴＡを被包した携行可能なアニメキャラクター、ワッペン、各種器物等が好適に製作され、かつ使用することができる。また本発明に係る操作具１００におけるＩＣタグＴＡは、防水性を有するので、ＩＣタグＴＡを被包したまま、操作具１００を洗濯機等での洗浄を行っても、その機能には何らの影響もなく、端末ＳＰの操作が可能であることも判明した。
【符号の説明】
【００２７】１００…起動操作具、多機能携帯端末…ＳＰ、ＩＣ…ＩＣチップ、非接触型近距離無線通信体…ＴＡ、柔軟性素材…Ｆ、起動操作具本体…１０、アンテナ…ＡＮ、ぬいぐるみ…Ｎ、洗濯表示ラベル…ＷＬ、織ネーム…ＳＮ、係止具…Ｆ３
【図１】
2015103239.tif 000003
【図２】
2015103239.tif 000004
【図３】
2015103239.tif 000005
【図４】
2015103239.tif 000006
【図５】
2015103239.tif 000007
【図６】
2015103239.tif 000008
【図７】
2015103239.tif 000009